(57)【特許請求の範囲】
【請求項１】
アンテナ樋本体と上接続体を備え、
前記アンテナ樋本体は、
雨水を流すための排水筒部と、
前記排水筒部の外面に設けられたアンテナ部と、
前記排水筒部を覆う外筒部とを有し、
前記上接続体は、前記アンテナ樋本体の上端部に設けられて前記排水筒部と他の筒状樋を接続するためのものであり、
前記アンテナ部は給電部を有し、この給電部に給電路が接続され、この給電路が前記給電部から前記排水筒部と前記外筒部の間を通して前記上接続体に至るアンテナ部側ケーブルからなり、このアンテナ部側ケーブルの端部に設けられた、テレビ側ケーブルと接続するための接続具を、前記上接続体に配置したことを特徴とするアンテナ付き竪樋。
【請求項２】
アンテナ樋本体と上接続体を備え、
前記アンテナ樋本体は、
雨水を流すための排水筒部と、
前記排水筒部の外面に設けられたアンテナ部と、
前記排水筒部を覆う外筒部とを有し、
前記上接続体は、前記アンテナ樋本体の上端部に設けられて前記排水筒部と他の筒状樋を接続するためのものであり、
前記アンテナ部は給電部を有し、この給電部に給電路が接続され、この給電路が前記給電部から前記排水筒部と前記外筒部の間を通して前記上接続体に至るアンテナ部側ケーブルからなり、前記上接続体に前記アンテナ部側ケーブルを引き出すための引出部を設けたことを特徴とするアンテナ付き竪樋。
【請求項３】
前記アンテナ部が前記アンテナ樋本体の軸方向に沿ったスロットを有するスロットアンテナであることを特徴とする請求項１又は請求項２に記載のアンテナ付き竪樋。
【発明の詳細な説明】
【技術分野】
【０００１】
本発明はアンテナ付き竪樋に関する。
【背景技術】
【０００２】
特許文献１には、施工後の竪樋にアンテナ部を取付ける技術が開示されている。このアンテナ部は竪樋の長手方向における中間部に取付けられるものであって、アンテナ部には上下方向における中程に給電端子が設けられている。
【０００３】
ところで、前記給電端子にはアンテナ部に給電するためにケーブルが接続されると考えられ、この種のケーブルは、一般的に、軒天井あるいは軒天井のすぐ下に位置する外壁の上端部を通して家屋に導入される。これは、雨が前記ケーブルを家屋に導入するための孔を介して家屋に入り込むことを防止等するためである。
【０００４】
しかし、特許文献１のアンテナ部は竪樋の上下方向における中間部に取付けられ、また、給電端子はアンテナ部において上下方向における中程に配置される。このため、給電端子は比較的低い位置に配置され、給電端子から前記ケーブルを屋内に導入する箇所までの距離が長くなる。つまり、給電端子から屋内に導入する箇所に架け渡されるケーブルの架け渡し長さが長くなり、このため、ケーブルの納まりが悪くなって外観を害する恐れがあり、また、高所において給電端子に接続したケーブルを前記軒天井等から屋内に導入する作業もし難くなる。
【先行技術文献】
【特許文献】
【０００５】
【特許文献１】特開平１−１６８１０１号公報
【発明の概要】
【発明が解決しようとする課題】
【０００６】
本発明は前記事情に鑑みてなされたものであって、給電用のケーブルの家屋に導入する箇所までの架け渡し長さを短くすることができるアンテナ付き竪樋を提供することを課題とする。
【課題を解決するための手段】
【０００７】
前記課題を解決するために本発明のアンテナ付き竪樋は、アンテナ樋本体と上接続体を備え、前記アンテナ樋本体は、雨水を流すための排水筒部と、前記排水筒部の外面に設けられたアンテナ部と、前記排水筒部を覆う外筒部とを有し、前記上接続体は、前記アンテナ樋本体の上端部に設けられて前記排水筒部と他の筒状樋を接続するためのものであり、前記アンテナ部は給電部を有し、この給電部に給電路が接続され、この給電路が前記給電部から前記排水筒部と前記外筒部の間を通して前記上接続体に至るアンテナ部側ケーブルからなり、このアンテナ部側ケーブルの端部に設けられた、テレビ側ケーブルと接続するための接続具を、前記上接続体に配置したことを特徴とする。
【０００８】
また、本発明の他のアンテナ付き竪樋は、アンテナ樋本体と上接続体を備え、前記アンテナ樋本体は、雨水を流すための排水筒部と、前記排水筒部の外面に設けられたアンテナ部と、前記排水筒部を覆う外筒部とを有し、前記上接続体は、前記アンテナ樋本体の上端部に設けられて前記排水筒部と他の筒状樋を接続するためのものであり、前記アンテナ部は給電部を有し、この給電部に給電路が接続され、この給電路が前記給電部から前記排水筒部と前記外筒部の間を通して前記上接続体に至るアンテナ部側ケーブルからなり、前記上接続体に前記アンテナ部側ケーブルを引き出すための引出部を設けたことを特徴とする。
【００１１】
また、前記アンテナ部が前記アンテナ樋本体の軸方向に沿ったスロットを有するスロットアンテナであることが好ましい。
【発明の効果】
【００１２】
本発明にあっては、アンテナ部給電用のケーブルを軒天井あるいは軒天井のすぐ下の外壁の上端部を通して家屋に導入するにあたって、給電用のケーブルの家屋に導入する箇所まで掛け渡される長さを短くすることができる。このため、アンテナ部給電用のケーブルの納まりを良くして外観を向上でき、また、アンテナ部給電用のケーブルを前記軒天井等から屋内に容易に導入することができる。また、仮に家屋に引き込むケーブルの長さが長くなった場合でも、接続する竪樋の背面などに沿わすことができるため、ケーブルの納まりを良くして外観を向上できる。
【図面の簡単な説明】
【００１３】
【図１】本実施形態のアンテナ付き竪樋の一部破断した斜視図である。
【図２】同上のアンテナ付き竪樋の斜視図である。
【図３】同上のアンテナ付き竪樋の断面斜視図である。
【図４】同上のアンテナ部の前側から見た斜視図である。
【図５】同上のアンテナ部の後側から見た斜視図である。
【図６】同上の取付部材の斜視図である。
【図７】同上の外筒部の図示を省略したアンテナ付き竪樋の上端部分における断面斜視図である。
【図８】同上の接続部の斜視図である。
【図９】同上の回動部本体の斜視図である。
【図１０】同上のカバー体及び外筒部の図示を省略したアンテナ付き竪樋の上端部分の斜視図である。
【図１１】同上の下接続体の上側から見た斜視図である。
【図１２】同上の下接続体の下側から見た斜視図である。
【図１３】同上の外筒部の図示を省略したアンテナ付き竪樋の上端部分における図７とは別位置で切断した断面斜視図である。
【図１４】同上のアンテナ付き竪樋の設置例を示す説明図である。
【図１５】他例のアンテナ付き竪樋を示し、外筒部の図示を省略したアンテナ付き竪樋の上端部を示す断面斜視図である。
【図１６】同上の外筒部の図示を省略したアンテナ付き竪樋の上端部分における図１５とは別位置で切断した断面斜視図である。
【発明を実施するための形態】
【００１４】
以下、本発明の実施形態について添付図面に基づいて説明する。本実施形態のアンテナ付き竪樋は、例えば図１４に示されるように竪樋の途中に設けられ、テレビ側ケーブル３３に接続されることでテレビ用のアンテナとして用いられるものである。
【００１５】
図１に示されるように、アンテナ付き竪樋は、アンテナ部２を有するアンテナ樋本体１と、このアンテナ樋本体１の上下両端部に設けられた接続体１３を備えている。接続体１３は、排水筒部１０と軒先の竪樋やエルボ等の接続継手等からなる他の筒状樋１１１、１１５を接続するものである。以下、特に区別する場合には、アンテナ樋本体１の上端部に設けられた接続体１３を上接続体５と記載し、アンテナ樋本体１の下端部に設けられた接続体１３を下接続体９と記載する。
【００１６】
図３に示されるように、アンテナ樋本体１は、雨水を流すための排水流路１１を内部に有する排水筒部１０と、排水筒部１０の外面に設けられたアンテナ部２と、排水筒部１０と同心に設けられてアンテナ部２を外側から覆う外筒部１２を備えている。
【００１７】
排水筒部１０は、上下方向に軸方向を有する円筒形状となっており、非導電性の合成樹脂材料（例えば塩化ビニル）により構成されている。
【００１８】
図４に示されるように、アンテナ部２は、アンテナ樋本体１の軸方向に沿って長く形成されたスロット２１を有するスロットアンテナにより構成されている。アンテナ部２は導電性部材２０により構成されており、スロット２１を形成した縦長矩形状の鋼板を水平断面Ｃ字状となるよう上下方向に一様に湾曲させることで形成される。
【００１９】
アンテナ部２にはスロット２１が上下方向に複数並べて設けられており、隣接するスロット２１同士は細溝２８で接続されている。各スロット２１は三角形の頂点を互いに突き合わせたようなボウタイ形状に形成されている。
【００２０】
アンテナ部２は、第一の周波数帯（例えば４７３〜６００ＭＨｚ）の電波を受信する第一の受信部２２と、第二の周波数帯（例えば６００〜７２０ＭＨｚ）の電波を受信する第二の受信部２３を有している。
【００２１】
第一の受信部２２は、スロット２１及び当該スロット２１の周縁部により構成される。第二の受信部２３は、このスロット２１に対し上下方向に隣接する鋼板部分により構成される。
【００２２】
第一の受信部２２を構成するスロット２１の上下方向の長さは、前記第一の周波数帯内の電波の電気的な半波長の長さと同じである。また、第二の受信部２３の周方向の長さは、前記第二の周波数帯内の電波の電気的な半波長の長さと同じである。
【００２３】
すなわち、第一の周波数帯内の中心周波数が５３６．５ＭＨｚであり、第一の周波数帯内の電波の電気的な半波長λ／２は約２８ｃｍであることから、各スロット２１の上下方向の長さは約２８ｃｍとなっている。また、第二の周波数帯の中心周波数が６６０ＭＨｚであり、第二の周波数帯内の電波の電気的な半波長λ／２は約２３ｃｍであることから、第二の受信部２３の周方向の長さは約２３ｃｍとなっている。
【００２４】
図５に示されるように、アンテナ部２の周方向の両端間に上下に亘って形成された隙間２６は、アンテナ部２の円弧中心を挟んでスロット２１と対向する位置に配置され、スロット２１に対向している。
【００２５】
隙間２６において各スロット２１の後方に位置する部分は、導電性部材２０が存在しない抜き部２７を構成する。各抜き部２７は正面から見てスロット２１と重なる位置に設けられており、上下長さがスロット２１の上下長さよりも長く、周方向長さがスロット２１の周方向長さよりも長く形成されている。
【００２６】
アンテナ部２において上側の第一の受信部２２を構成するスロット２１の両側は三角形状に形成され、これら対向する三角形状部分の夫々の頂点部に位置する連設片２５は、アンテナ部２の給電部２４を構成している。この給電部２４は最上の第一の受信部２２の上下方向の略中央部分に位置している。
【００２７】
図１のように、給電部２４には、給電路３を構成するアンテナ部側ケーブル３１の一端部が接続されている。アンテナ部側ケーブル３１は同軸ケーブルからなり、内側の導線が一方の連設片２５に接続され、外側の網線が他方の連設片２５に接続されている。
【００２８】
アンテナ部側ケーブル３１は、アンテナ部２の外面に沿って配置されるものであり、前記一端部が接続された給電部２４からスロット２１と重複しないようにスロット２１を避けた位置を通過して上接続体５に至っている。
【００２９】
アンテナ部２は、図１に示されるように、湾曲した内面が排水筒部１０の外周面に沿わせられ、この状態で取付部材４により排水筒部１０に取付けられる。
【００３０】
図６に示されるように、取付部材４は円環状をなし、非導電性の合成樹脂材料により形成されている。取付部材４は、一端に軸方向を上下方向とする軸部４２を有すると共に他端に係止部４３を有する平面視略Ｃ字状の第一の半体４１と、一端に軸受部４５を有すると共に他端に被係止部４６を有する平面視略Ｃ字状の第二の半体４４とから構成されている。第一の半体４１の軸部４２は第二の半体４４の軸受部４５に対して回動自在に連結されており、また、被係止部４６は係止部４３に対して着脱自在に係止できるようになっている。
【００３１】
図１に示されるように、アンテナ部２は複数の取付部材４により上下方向の複数箇所が排水筒部１０に対して固定されるものであり、以下のようにして排水筒部１０及びアンテナ部２に取付けられる。まず、排水筒部１０の外面に沿って配置したアンテナ部２の片側外面に、被係止部４６を係止部４３から外して開いた両半体４１，４４のうち、一方の半体４１（４４）を被せる。次に、当該他方の半体４４（４１）をアンテナ部２の他側外面に被せ、当該一方の半体４１（４４）に対して他方の半体４４（４１）を軸部４２を中心に回動して被係止部４６を係止部４３に係止する。これにより、アンテナ部２は取付部材４により排水筒部１０側となる内方に締め付けられて排水筒部１０に対して固定される。
【００３２】
図６のように、各取付部材４は、アンテナ部側ケーブル３１のアンテナ部２に対する位置を保持するケーブル保持部４８を備えている。ケーブル保持部４８は、第一の半体４１の内周面の一部及び第二の半体４４の内周面の一部に夫々設けられた溝４８０により構成されている。各溝４８０は各半体４１，４４の周方向の一部を径外方向に突出することで形成され、上下に開口している。溝４８０には給電部２４に接続されたアンテナ部側ケーブル３１を通すことができる。これにより排水筒部１０及びアンテナ部２に取付けられた取付部材４とアンテナ部２の間にアンテナ部側ケーブル３１を挟み、取付部材４によりアンテナ部側ケーブル３１の長さ方向の一部を保持できる。
【００３３】
また、各取付け部材４は、径外方向に突出する複数の突出部４９を有している。本実施形態の取付け部材４は、軸受部４５と、係止部４３及び被係止部４６と、溝４８０の背面側の突出部分との計４箇所の突出部４９を有している。突出部４９は周方向に等間隔で配置されており、すなわち９０°ごとに径外方向に突出している。この突出部４９は、取付け部材４がアンテナ部２の外周に装着された上で外筒部１２が取り付けられると、当該外筒部１２の略中心に排水筒部１０と排水筒部１０に設けられたアンテナ部２とが配置されると共に、外筒部１２の内周面に当接又は近接対向するようになっている。
【００３４】
外筒部１２は非導電性の合成樹脂材料により形成され、図３のように排水筒部１０と同心円状の円筒形状に形成されている。この外筒部１２は上下の接続体１３に接続され、これにより外筒部１２は排水筒部１０と径方向に所定の間隔を介して配置されている。
【００３５】
上接続体５は上方に開口した上接続口８６を有しており、下接続体９は下方に開口した下接続口９１を有している。上接続口８６及び下接続口９１は、いずれも、排水筒部１０の排水流路１１に通じている。
【００３６】
図７に示されるように、上接続体５は、排水筒部１０の上端部に接着固定される接続部６と、接続部６に対し周方向に回動可能となった回動部７を有している。
【００３７】
図８に示されるように、接続部６は上下方向に軸方向を有する円筒状に形成されており、その下端部には、排水筒部１０の上端部が接続される排水筒部接続部６０が形成されている。
【００３８】
排水筒部接続部６０には、筒状部分から外方に突出する位置決め当接部６１が全周に亘って形成されており、位置決め当接部６１の外周縁には、下方に向けて突出する水平断面略Ｃ字状の覆い片６２が形成されている。また、覆い片６２の周方向の両端には周方向位置決め突起６３が形成されている。
【００３９】
排水筒部接続部６０に排水筒部１０の上端部を接続するには、排水筒部接続部６０の筒状部分の外側に排水筒部１０の上端部を嵌め込んで位置決め当接部６１の下面に排水筒部１０の上端面を当接し、この状態で排水筒部接続部６０を排水筒部１０に接着する。この接続状態では、覆い片６２により、アンテナ部２を含めた排水筒部１０の上端部外周面が覆われる。また、周方向位置決め突起６３が、アンテナ部２の周方向の両端面に当接する、又はアンテナ部２の周方向の両端面の近傍に位置して対向する。これによりアンテナ部２が排水筒部１０に対して周方向に回動することが防止される。
【００４０】
接続部６の上部には、回動部７が回動可能に取付けられる内側支持部６４が形成されている。内側支持部６４は排水筒部接続部６０の筒状部分を上方に延ばし出して円筒状に形成されている。
【００４１】
回動部７は、図７に示されるように、内側支持部６４の外周面に沿って回動可能な回動部本体７０と、回動部本体７０に取付けられて回動部本体７０と回動部本体７０から上方に突出した接続部６の内側支持部６４を覆うカバー体８５を有している。
【００４２】
図９に示されるように、回動部本体７０は、内側支持部６４の外側に回動可能に嵌め込まれる外側環状部７１と、外側環状部７１から側方に突出した側方突出部７３と、外筒部１２の上端部に接続される外筒部接続部７８を有している。
【００４３】
図７に示されるように、外筒部接続部７８は、外側環状部７１の下端から径外方向に突出した外筒端面当接部７９と、外筒端面当接部７９の外縁から下方に向けて突設された外嵌部８０を有している。
【００４４】
外嵌部８０は外側環状部７１と同心の円筒状に形成されており、下方に開口している。外筒部接続部７８に外筒部１２の上端部を接続するには、外筒部１２の上端部を外嵌部８０の内側に嵌め込んで、外筒部１２の上端面を外筒端面当接部７９の下面に当接させる。なお、外筒部接続部７８は外筒部１２に接着固定されず、外筒部１２に対して回動可能となっている。
【００４５】
また回動部本体７０は、排水筒部１０と外筒部１２と回動部本体７０とに囲まれたアンテナ部側ケーブル３１を当該回動部本体７０よりも上方に引き出すためのケーブル挿通孔８１を有している。
【００４６】
図９に示されるように、ケーブル挿通孔８１は、外側環状部７１と外嵌部８０の間に位置する外筒端面当接部７９に形成されており、回動部本体７０の回動方向に長い弧状の長孔により構成されている。
【００４７】
外側環状部７１には、ケーブル挿通孔８１の長さ方向の中間部分の上方に位置する保持部８３が形成されている。保持部８３は、外側環状部７１の外周面から突出した一対の保持片８４により構成されており、一対の保持片８４の間に前記ケーブル挿通孔８１から上方に引き出されたアンテナ部側ケーブル３１を通すことでアンテナ部側ケーブル３１の長さ方向の一部が保持される。
【００４８】
回動部本体７０の側方突出部７３には取着孔７４が形成されている。取着孔７４には、図１０及び図１３のように、前記ケーブル挿通孔８１及び保持部８３を通したアンテナ部側ケーブル３１の端部に設けられた接続具３２が取付けられており、接続具３２は保持部８３よりも下方に位置している。すなわち、ケーブル挿通孔８１から上方に引き出されたアンテナ部側ケーブル３１は、保持部８３で保持された後、保持部８３よりも上方位置で下方に折り返される。
【００４９】
接続具３２は、アンテナ部側ケーブル３１をテレビ側ケーブル３３（図１４参照）に電気的に接続するために用いられるものであって、回動部本体７０の下面から下方に向かって突出している。
【００５０】
前記ケーブル挿通孔８１は回動部本体７０の回動方向に沿って長い弧状の長孔となっている。このため、回動部本体７０がアンテナ部２を設けた排水筒部１０に対して回動した際に、これに追従してアンテナ部側ケーブル３１が移動したとしても、ケーブル挿通孔８１はその移動を許容するようになっている。これにより、回動部本体７０が回動しても、アンテナ部側ケーブル３１に力が加わり難い。
【００５１】
また、上接続体５は、回動部７を回動方向の予め定められた複数の停止位置で停止させる停止手段を備えている。停止手段は、接続部６に設けられた引掛け部６５及び下方付勢部６６（図８参照）と、回動部本体７０に設けられた被引掛け部７２（図９参照）により構成されている。
【００５２】
図８に示されるように、引掛け部６５は接続部６の内側支持部６４の外周面から突出しており、上方ほど先細り形状となった一対の三角状部６５０を有している。引掛け部６５は、等間隔で内側支持部６４の周方向の三箇所に形成され、すなわち約１２０°毎に設けられている。
【００５３】
下方付勢部６６は接続部６と同じ合成樹脂により形成されたものであり、各引掛け部６５の上方に設けられている。各下方付勢部６６は一端部側に行く程下方に位置するように内側支持部６４の外周面に沿って配置された細長片６６０により構成されている。細長片６６０は前記一端部側と反対側の他端部のみが内側支持部６４に接続されており、前記一端部側が押し上げられると弾性変形し、その復元力が下方に作用するようになっている。
【００５４】
一方、回動部本体７０の接続部６が回動可能に挿入される外側環状部７１には、図９に示すように、外側環状部７１の内周面から突出し、前記内側支持部６４の引掛け部６５に係止される被引掛け部７２が形成されている。
【００５５】
被引掛け部７２は、下方ほど先細り形状となった逆三角形状の突起を外側環状部７１の周方向に一定の間隔を介して複数有すると共に、外側環状部７１の周方向に一直線状に形成されて各突起の上端を接続する直線状部７２１を有している。直線状部７２１は前記内側支持部６４に形成された複数の下方付勢部６６に、当接する又は対向位置に配置される。また、被引掛け部７２には、外側環状部７１を周方向に三等分する位置に、対応する下方付勢部６６及び引掛け部６５を上下方向に挿通させるための挿通路７２２が形成されている。
【００５６】
回動部本体７０を接続部６に装着するには、まず、回動部本体７０の外側環状部７１を、接続部６の内側支持部６４に嵌め込む。このとき、外側環状部７１の挿通路７２２に、内側支持部６４の下方付勢部６６及び引掛け部６５を挿通させる。そして、この後、回動部本体７０を接続部６の内側支持部６４に対して回動して、被引掛け部７２の突起を接続部６の対応する引掛け部６５の一対の三角状部６５０に引っ掛ける。これにより、回動部本体７０の内側支持部６４に対する回動が規制される。
【００５７】
また、回動部本体７０を接続部６の内側支持部６４に対して回動させるには、回動部本体７０をやや持ち上げて、引掛け部６５と被引掛け部７２の係合状態を解除し、この状態で回動させる。
【００５８】
回動部本体７０を持ち上げると、被引掛け部７２の直線状部７２１により内側支持部６４の下方付勢部６６が上方に押し上げられる。このため、回動部本体７０を持ち上げた状態では、当該回動部本体７０は、常に、下方付勢部６６から下方に付勢力を受けた状態となる。従って、ユーザーが手を放すと、下方付勢部６６により被引掛け部７２の直線状部７２１が押し下げられ、引掛け部６５と被引掛け部７２が自動的に係合状態となる。また、これにより、前記引掛け部６５と被引掛け部７２の係合状態の維持がなされる。
【００５９】
また、図９に示されるように、回動部本体７０にはケーブル挿通孔８１の周縁部から上方に突出する水返し片８２が形成され、ケーブル挿通孔８１から排水筒部１０と外筒部１２の間に雨水が侵入することが防止されている。また、回動部本体７０には、取着孔７４の周囲から上方に突出する筒状の立ち上がり片７５が形成され、立ち上がり片７５により取着孔７４内に雨水が浸入することが防止されている。
【００６０】
また、側方突出部７３には上下に貫通する複数の水抜き穴７６が形成され、上接続体５内に入り込んだ側方突出部７３上の雨水を水抜き穴７６から外部に排出できるようになっている。さらに、側方突出部７３の下面には、取着孔７４と水抜き穴７６の間から下方に突出する垂下片７７が形成されている。この垂下片７７は、取着孔７４を全周に亘って囲むように設けられている。この垂下片７７により、水抜き穴７６から流下した雨水が側方突出部７３の下面を伝ったとしても、この雨水が接続具３２に至ることを防止できる。
【００６１】
なお、水抜き穴７６の排水性を良くするために、側方突出部７３の水抜き穴７６の外周部の全周にわたって下方向に向けて水切り用のリブを突出させることが好ましい。この場合、側方突出部７３の下方からの雨水が当該リブによって水切りされて、雨水が水抜き穴７６から側方突出部７３の上面側へ流入しにくい構造とすることができる。
【００６２】
カバー体８５は、回動部本体７０の上方及び側方を覆い、接続具３２への浸水や、排水筒部１０と外筒部１２との間への浸水を防ぐ。
【００６３】
カバー体８５は、図７に示されるように、上面部８５０と、上面部の外周縁から下方に突出して外周面を構成する側面部８５１を有している。
【００６４】
上面部８５０には上下に貫通する上接続口８６が形成され、上接続口８６の周縁部は下方に突出して接続部６の内側支持部６４の上端部内側に回動自在に嵌め込まれている。カバー体８５の側面部８５１の内面には、回動部本体７０に対して上方に移動不能に係止される係止爪８８が形成されている（図１参照）。
【００６５】
カバー体８５は、回動部本体７０に装着されると、図７に示されるように、上面部８５０の下面が接続部６の上端面に当接し、上接続口８６が接続部６内に連通する。
【００６６】
上接続口８６には竪樋などの上側の他の筒状樋１１１が挿通されるが、この状態では上接続口８６の周縁が当該筒状樋１１１の外面に対して隙間を介して離間し、当該筒状樋１１１が遊びを持って差し込まれる。このため、カバー体８５の上面部８５０上の水を、前記上接続口８６と筒状樋１１１との間の隙間を介して、排水筒部１０の排水流路１１に流せるようになっている。なお、この雨水は下接続体９の下接続口９１を介して、下側の他の筒状樋１１５に排水される。
【００６７】
また、カバー体８５の上面部８５０には、外周の全長に亘って上方に向けて突出した水返し用凸条８７が形成されており、この水返し用凸条８７により、上面部８５０上の汚れた雨水が側面部８５１側に流れることが防止されている。
【００６８】
下接続体９は、図１１に示されるように、平面視円環状に形成されており、中央部分に上下方向に貫通し且つ筒状樋１１５よりも小径に形成された下接続口９１が形成されている。
【００６９】
下接続体９は、排水筒部１０の下端部が接続される排水筒部接続部９２と、外筒部１２の下端部が接続される外筒部接続部９５を有している。
【００７０】
排水筒部接続部９２は、排水筒部１０の内側に嵌め込まれる円筒状の内側突条部９３と、内側突条部９３の下端部から径外方向に向けて突出した奥面部９４とを備えている。排水筒部接続部９２に排水筒部１０を接続するには、図３のように内側突条部９３の内側に排水筒部１０を嵌め込み、排水筒部１０の下端面を奥面部９４の上面に当接する。この排水筒部接続部９２は、排水筒部１０の下端部に接着剤により固定される。
【００７１】
図１１に示すように、外筒部接続部９５は、内側突条部９３と同心円状に設けられた外側突条部９６と、外側突条部９６の下端部から径外方向に向けて突出した位置決め段部９７を有している。外筒部接続部９５に外筒部１２を接続するには、図３のように、外側突条部９６の外側に外筒部１２の下端部を嵌め込み、外筒部１２の下端面を位置決め段部９７に当接する。
【００７２】
図１１のように、下接続体９には、外側突条部９６から内側突条部９３に向けて突出し、アンテナ部２の周方向の両端間に嵌め込まれる一対のリブ部９８が形成されている。また、下接続体９の奥面部９４には、上下方向に貫通する水抜き用の貫通孔９９が複数箇所に形成されている。
【００７３】
下接続体９は、筒状樋１１５として、断面角形状の筒状樋、又は断面円形状の筒状樋のいずれかが選択的に接続可能な下接続部１００（図１２参照）を有している。
【００７４】
図１２のように、下接続部１００は奥面部９４よりも下方側に位置し、内部が下接続口９１に連通する内嵌筒部１０２と、この外側に位置する外嵌筒部１０４により構成されている。内嵌筒部１０２には径外方向に膨出する凸状膨出部１０１が周方向に一定のピッチで形成されており、外嵌筒部１０４は内嵌筒部１０２の凸状膨出部１０１の径外方向に位置し且つ径内方向に屈曲した凹没部１０３を有している。
【００７５】
内嵌筒部１０２と外嵌筒部１０４の間には、筒状樋１１５の側壁部が嵌め込んで保持されるようになっている。筒状樋１１５が断面円形状である場合は、凸状膨出部１０１と凹没部１０３との間に他の筒状樋１１５の側壁部が摺動自在に嵌まり込み、これにより筒状樋１１５は下接続体９に対して回動自在となる。また、筒状樋１１５が断面角形状である場合は、筒状樋１１５の側壁部の周方向の移動が凸状膨出部１０１や凹没部１０３によって規制され、これにより筒状樋１１５は周方向の向きを所定角度毎に変更して下接続体９に接続できるようになっている。
【００７６】
以上の構成のアンテナ付き竪樋はユニット化された樋部品であって、例えば図１４に示されるように、建物の外壁に沿って設置された竪樋の一部として設置される。
【００７７】
図１４においては、軒樋に設けた集水器１１２に連通したエルボ１１３の下端部に、外壁に沿う竪樋が接続されている。この竪樋は、一部が分断されており、上側の短管からなる筒状樋１１１と、下側の長管からなる筒状樋１１５とから構成されている。
【００７８】
アンテナ付き竪樋は、上接続口８６が上側の筒状樋１１１の下端部に連通接続され、下接続口９１が下側の筒状樋１１５の上端部に連通接続される。各筒状樋１１１，１１５は、控え具１１４により外壁に固定されており、アンテナ付き竪樋も非導電性樹脂により形成された控え具１１０により外壁に固定されている。このように、設置された後のアンテナ付き竪樋は、建物の外壁に沿って設置された竪樋の一部となっている。
【００７９】
なお、アンテナ付き竪樋は、アンテナ樋本体１に接続体１３が設けられているため、建物の壁面に沿って新たに竪樋を配設する場合はもちろんのこと、既に設置された竪樋に対しても、簡単にアンテナ付き竪樋を設置することができる。
【００８０】
アンテナ付き竪樋を設置するに当たっては、アンテナ付き竪樋を指向性を有するアンテナ部２のスロット２１が放送電波を最も強く受信できる向きとなるよう配置し、このアンテナ付き竪樋の外筒部１２を控え具１１０により外壁に固定する。このとき、回動部７は任意の角度位置に配置されており、建物壁面から突出して目立った状態となっている場合がある。この場合、前述したように回動部７を外壁側に回動させることで、カバー体８５の側面部８５１を壁面に沿った状態となるまで回動させることができる。
【００８１】
上記アンテナ付き竪樋は、雨水を流すための排水筒部１０と、アンテナとを兼用することができるので、屋根上に専用のアンテナを設置する必要がなくて、外観を向上させることができる。しかも、屋根上に専用のアンテナを設置する場合、屋根に沿ってケーブルを配設する必要があるが、本実施形態のアンテナ付き竪樋は、竪樋から直ぐに建物内にケーブルを配設することができる。これにより、ケーブルの配設距離を極力短くでき、より一層外観を向上させることができる。
【００８２】
以上説明した本実施形態のアンテナ付き竪樋は、排水筒部１０及びアンテナ部２を有するアンテナ樋本体１と、アンテナ樋本体１の上端部に設けられて排水筒部１０と他の筒状樋１１１を接続するための上接続体５を備えている。そして、アンテナ部２が有する給電部２４に接続された給電路３を上接続体５に至らせ、給電路２４の端部に設けられた、テレビ側ケーブル３３と接続するための接続具３２を接続体５に配置している。この構成により、テレビ側ケーブル３３に接続される接続具３２を高い位置に配置して軒天井に近づけることができる。このため、テレビ側ケーブル３３を軒天井あるいは軒天井のすぐ下の外壁の上端部を通して家屋に導入するにあたって、テレビ側ケーブル３３のアンテナ付き竪樋から屋内に導入する箇所までの架け渡し長さを短くすることができる。これによりテレビ側ケーブル３３の納まりを良くして外観を向上でき、また、テレビ側ケーブル３３を前記軒天井等から屋内に容易に導入することができる。
【００８３】
また、前記給電路３は、アンテナ部２の給電部２４からアンテナ樋本体１に沿って上接続体５に至るアンテナ部側ケーブル３１からなるので、容易に給電路３を設けることができる。
【００８４】
また、本実施形態では、アンテナ部２が排水筒部１０の外面に設けられ、アンテナ部側ケーブル３１が排水筒部１０とこの排水筒部１０を覆う外筒部１２の間を通して上接続体５に至っている。このため、アンテナ部２及びアンテナ部側ケーブル３１を外筒部１２により覆って外観を更に向上できると共に、アンテナ部２やアンテナ部側ケーブル３１を、雨水、太陽光線、外気等から保護することができる。
【００８５】
また、本実施形態のアンテナ部２は、アンテナ樋本体１の軸方向に沿ったスロット２１を有するスロットアンテナであるので、排水筒部１０の周囲にアンテナ部２を設けることができ、アンテナ樋本体１をコンパクトにできる。
【００８６】
なお、本実施形態では、回動部７を回動方向の予め定められた複数の停止位置で停止する停止手段を備えているが、この停止手段は回動部７を回動方向の任意の位置で停止させるものであっても構わない。また、本実施形態では、接続部６に対して周方向に回動可能な回動部７に接続具３２を設けたが、接続具３２を上接続体５の接続部６に設ける等、接続部６に対して回動しない部分に設けても構わない。また、外筒部１２は省略してもよい。また、アンテナ部２は排水筒部１０の外面に設けたが、排水筒部１０の厚み方向の内部や外筒部１２の内面等に設けてもよく、アンテナ部２は排水筒部１０の周囲に設けてあればよい。また、アンテナ部２は断面略Ｃ字状に限定されるものではなく、また、アンテナ部２をスロットアンテナ以外のアンテナで構成しても構わない。
【００８７】
また、本実施形態では、接続具３２を上接続体５に取付けたが、接続具３２は上接続体５に固定されず、例えば上接続体５に収納されるものであってもよい。また、図１５及び図１６に示されるように、上接続体５に給電路３を引き出すための引出部６７を設けてもよい。図１５及び図１６の例では、回動部本体７０の側方突出部７３に、前記取着孔７４に代えて上下に貫通するケーブル引出孔６８が形成されており、このケーブル引出孔６８で引出部６７が構成されている。ケーブル引出孔６８には、保持部８３よりも上方位置で下方に折り返されたアンテナ部側ケーブル３１が上方から通されている。これによりアンテナ部側ケーブル３１に設けられた接続具３２が上接続体５の外部に配置され、この接続具３２にテレビ側ケーブル３３を接続して、給電部２４に給電が行えるようになっている。
【００８８】
このように、上接続体５に給電路３を引き出すための引出部６７を設けた場合にも、テレビ側ケーブル３３に接続される接続具３２を高い位置に配置して軒天井に近づけることができ、テレビ側ケーブル３３のアンテナ付き竪樋から屋内に導入する箇所までの架け渡し長さを短くすることができる。
【符号の説明】
【００８９】
１  アンテナ樋本体
２  アンテナ部
５  上接続体
１０  排水筒部
２１  スロット
３１  アンテナ部側ケーブル
６７  引出部
１１１  筒状樋
【図１】
0005662831.tif 000002
【図２】
0005662831.tif 000003
【図３】
0005662831.tif 000004
【図４】
0005662831.tif 000005
【図５】
0005662831.tif 000006
【図６】
0005662831.tif 000007
【図７】
0005662831.tif 000008
【図８】
0005662831.tif 000009
【図９】
0005662831.tif 000010
【図１０】
0005662831.tif 000011
【図１１】
0005662831.tif 000012
【図１２】
0005662831.tif 000013
【図１３】
0005662831.tif 000014
【図１４】
0005662831.tif 000015
【図１５】
0005662831.tif 000016
【図１６】
0005662831.tif 000017